【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
モノマーの重合体、ポリエステル樹脂Ａ、帯電制御樹脂Ｂ及び着色剤を含有するトナー粒子を有するトナーであって、
該モノマー中のスチレンの含有量が、６０質量％以上であり、
該トナー粒子が、該ポリエステル樹脂Ａで形成されたシェルを有し、
該帯電制御樹脂Ｂが、下記式（１）で表される構造を有する重合体であり、
該ポリエステル樹脂Ａのスチレン−ヘキサン溶解度指数が、１５．０以上２７．０以下であり、
該ポリエステル樹脂Ａのスチレン−ヘキサン溶解度指数と該帯電制御樹脂Ｂのスチレン−ヘキサン溶解度指数の差の絶対値が７．０以下であることを特徴とするトナー。
【化１】
2017044742.tif 000001
［前記式（１）中、Ｒ１は、それぞれ独立して、ヒドロキシ基、カルボキシ基、炭素数１以上１８以下のアルキル基、又は、炭素数１以上１８以下のアルコキシ基を表し、ｈは０以上３以下の整数を表す。］
【請求項２】
前記ポリエステル樹脂Ａは、下記式（２）で表されるイソソルビドユニットを含有し、該下記式（２）で表されるイソソルビドユニットの含有割合が、該ポリエステル樹脂Ａを構成する全モノマーユニットを基準として、０．１０ｍｏｌ％以上２０．００ｍｏｌ％以下である、請求項１に記載のトナー。
【化２】
2017044742.tif 000002
【請求項３】
前記ポリエステル樹脂Ａが、テレフタル酸由来のモノマーユニットを含有し、
該テレフタル酸由来のモノマーユニットの含有割合が、該ポリエステル樹脂Ａを構成する全ジカルボン酸モノマーユニットを基準として、８５．００ｍｏｌ％以上である、請求項１又は２に記載のトナー。
【請求項４】
前記帯電制御樹脂Ｂが、下記式（３）で表される構造を有する重合体である、請求項１〜３のいずれか１項に記載のトナー。
【化３】
2017044742.tif 000003
［前記式（３）中、Ｒ２は、それぞれ独立して、ヒドロキシ基、カルボキシ基、炭素数１以上１８以下のアルキル基、又は、炭素数１以上１８以下のアルコキシ基を表し、Ｒ３は、水素原子、ヒドロキシ基、炭素数１以上１８以下のアルキル基、又は、炭素数１以上１８以下のアルコキシ基を表し、ｊは１以上３以下の整数を表し、ｉは０以上３以下の整数を表す。］
【請求項５】
前記帯電制御樹脂Ｂが、下記式（４）で表されるモノマーユニットを有する重合体である、請求項１〜４のいずれか１項に記載のトナー。
【化４】
2017044742.tif 000004
［前記式（４）中、Ｒ６は水素原子又はメチル基を表し、Ｒ４は、それぞれ独立して、ヒドロキシ基、カルボキシ基、炭素数１以上１８以下のアルキル基、又は、炭素数１以上１
８以下のアルコキシ基を表し、Ｒ５は、水素原子、ヒドロキシ基、炭素数１以上１８以下のアルキル基、又は、炭素数１以上１８以下のアルコキシ基を表し、ｌは１以上３以下の整数を表し、ｋは０以上３以下の整数を表す。］
【請求項６】
前記トナーが懸濁重合トナーである、請求項１〜５のいずれか一項に記載のトナー。
【請求項７】
前記トナー粒子が、前記ポリエステル樹脂Ａ、前記帯電制御樹脂Ｂ、前記着色剤及び前記モノマーを含有するモノマー組成物の粒子を水系媒体中で形成し、該モノマー組成物の該粒子に含まれる前記モノマーを重合させることにより得られたトナー粒子である、請求項１〜６のいずれか一項に記載のトナー。
【請求項８】
ポリエステル樹脂Ａ、帯電制御樹脂Ｂ、着色剤及びモノマーを含有するモノマー組成物を水系媒体中に分散し、該水系媒体中で該モノマー組成物の粒子を形成する工程、及び、
該モノマー組成物の該粒子に含まれる該モノマーを重合してトナー粒子を得る工程を含むトナーの製造方法であって、
該モノマー中のスチレンの含有量が、６０質量％以上であり、
該帯電制御樹脂Ｂが、下記式（１）で表される構造を有する重合体であり、
該ポリエステル樹脂Ａのスチレン−ヘキサン溶解度指数が、１５．０以上２７．０以下であり、
該ポリエステル樹脂Ａのスチレン−ヘキサン溶解度指数と該帯電制御樹脂Ｂのスチレン−ヘキサン溶解度指数の差の絶対値が７．０以下であることを特徴とするトナーの製造方法。
【化５】
2017044742.tif 000005
［前記式（１）中、Ｒ１は、それぞれ独立して、ヒドロキシ基、カルボキシ基、炭素数１以上１８以下のアルキル基、又は、炭素数１以上１８以下のアルコキシ基を表し、ｈは０以上３以下の整数を表す。］
【請求項９】
前記ポリエステル樹脂Ａは、下記式（２）で表されるイソソルビドユニットを含有し、該下記式（２）で表されるイソソルビドユニットの含有割合が、該ポリエステル樹脂Ａを構成する全モノマーユニットを基準として、０．１０ｍｏｌ％以上２０．００ｍｏｌ％以下である、請求項８に記載のトナーの製造方法。
【化６】
2017044742.tif 000006
【請求項１０】
前記ポリエステル樹脂Ａが、テレフタル酸由来のモノマーユニットを含有し、
該テレフタル酸由来のモノマーユニットの含有割合が、該ポリエステル樹脂Ａを構成する全ジカルボン酸モノマーユニットを基準として、８５．００ｍｏｌ％以上である、請求項８又は９に記載のトナーの製造方法。
【請求項１１】
前記帯電制御樹脂Ｂが、下記式（３）で表される構造を有する重合体である、請求項８〜１０のいずれか１項に記載のトナーの製造方法。
【化７】
2017044742.tif 000007
［前記式（３）中、Ｒ２は、それぞれ独立して、ヒドロキシ基、カルボキシ基、炭素数１以上１８以下のアルキル基、又は、炭素数１以上１８以下のアルコキシ基を表し、Ｒ３は、水素原子、ヒドロキシ基、炭素数１以上１８以下のアルキル基、又は、炭素数１以上１８以下のアルコキシ基を表し、ｊは１以上３以下の整数を表し、ｉは０以上３以下の整数を表す。］
【請求項１２】
前記帯電制御樹脂Ｂが、下記式（４）で表されるモノマーユニットを有する重合体である、請求項８〜１１のいずれか１項に記載のトナーの製造方法。
【化８】
2017044742.tif 000008
［前記式（４）中、Ｒ６は水素原子又はメチル基を表し、Ｒ４は、それぞれ独立して、ヒドロキシ基、カルボキシ基、炭素数１以上１８以下のアルキル基、又は、炭素数１以上１８以下のアルコキシ基を表し、Ｒ５は、水素原子、ヒドロキシ基、炭素数１以上１８以下のアルキル基、又は、炭素数１以上１８以下のアルコキシ基を表し、ｌは１以上３以下の整数を表し、ｋは０以上３以下の整数を表す。］
【手続補正２】
【補正対象書類名】明細書
【補正対象項目名】０００５
【補正方法】変更
【補正の内容】
【０００５】
本発明は、
モノマーの重合体、ポリエステル樹脂Ａ、帯電制御樹脂Ｂ及び着色剤を含有するトナー粒子を有するトナーであって、
該トナー粒子が、該ポリエステル樹脂Ａで形成されたシェルを有し、
該モノマー中のスチレンの含有量が、６０質量％以上であり、
該帯電制御樹脂Ｂが、下記式（１）で表される構造を有する重合体であり、
該ポリエステル樹脂Ａのスチレン−ヘキサン溶解度指数が、１５．０以上２７．０以下であり、
該ポリエステル樹脂Ａのスチレン−ヘキサン溶解度指数と該帯電制御樹脂Ｂのスチレン−ヘキサン溶解度指数の差の絶対値が７．０以下であることを特徴とするトナーである。
【手続補正３】
【補正対象書類名】明細書
【補正対象項目名】０００７
【補正方法】変更
【補正の内容】
【０００７】
また、本発明は、
ポリエステル樹脂Ａ、帯電制御樹脂Ｂ、着色剤及びモノマーを含有するモノマー組成物を水系媒体中に分散し、該水系媒体中で該モノマー組成物の粒子を形成する工程、及び、
該モノマー組成物の該粒子に含まれる該モノマーを重合してトナー粒子を得る工程を含むトナーの製造方法であって、
該モノマー中のスチレンの含有量が、６０質量％以上であり、
該帯電制御樹脂Ｂが、下記式（１）で表される構造を有する重合体であり、
該ポリエステル樹脂Ａのスチレン−ヘキサン溶解度指数が、１５．０以上２７．０以下であり、
該ポリエステル樹脂Ａのスチレン−ヘキサン溶解度指数と該帯電制御樹脂Ｂのスチレン−ヘキサン溶解度指数の差の絶対値が７．０以下であることを特徴とするトナーの製造方法である。